(57)【要約】  【課題】 吊り環への着脱が容易であり、吊り環からの離脱をも有効に防止する簡易な構造で製作容易な小型のカーテン吊り具を提供する。【構成】カーテン吊り具１は、何れも弾性合成樹脂製の本体２とフック体３とから成る。本体２の前面側には、仕切壁６の左右両側に、ラチェット歯７列を備える。フック体３は、ラチェット爪１３を有し、本体２に対し下方へ移動できる。フック体３は、本体２にラチェット式に係合する抱持部１１とフック１２とを有する。フック１２の立上げ部１８の背面には、仕切壁８を受け入れる縦方向の割溝２４を有する。割溝２０と仕切り壁８との嵌合で、立上げ部１８が補強され、左右に容易に曲がらない。抱持部１１の前方側面には張出部２１を設け、フック１２の折り返し部１９との間に狭隘な隙間２２、開放部２３、開放部２４を形成し、これで吊り環からの不用意な離脱を阻止するが、着脱を容易にする。  【選択図】図１
0003150285.tif 000002
【実用新案登録請求の範囲】
【請求項１】
カーテンに取り付けられる弾性合成樹脂製の本体と、この本体に対してラチェット式に下方へ移動自在に係合し、吊り環に掛け止め可能な弾性合成樹脂製のフック体とから成るカーテン吊り具において、
前記フック体は、前記本体を上下に摺動自在に抱持する抱持部と、この抱持部から立ち上がった後、前方へ湾曲して下方へ折り返されるフックとを具備し、
前記フックは、前記抱持部から上方へ伸びた立上げ部と、この立上げ部の上部に連続して下方へ伸びつつ後方へ向かった後、前方に向かう折り返し部とを具備し、
前記フック体における折り返し部が接近する対向部には、前方に張り出して、前記フックの折り返し部との間に狭隘な隙間と、その片側の外広がりの外側開放部と、他側の内広がりの内側開放部とを形成する張出部を具備することを特徴とするカーテン吊り具。
【請求項２】
前記本体が、カーテンへ挿入して取付けるための挿入杆を備えていることを特徴とする請求項１に記載のカーテン吊り具。
【請求項３】
前記本体が、カーテンへ縫い付けるための薄板部を備えていることを特徴とする請求項１に記載のカーテン吊り具。
【請求項４】
カーテンに取付けられる弾性合成樹脂製の本体と、この本体に対してラチェット式に下方へ移動自在に係合し、吊り環に掛け止め可能な弾性合成樹脂製のフック体とから成り、
前記本体は、前記フック体を係合させるための縦方向に伸びる主杆を前方に有すると共に、カーテンに取付けるための取付け部を後方に有し、前記主杆の前面側には、中央の縦方向に伸びるの仕切壁を隔てて、その左右両側に、縦方向のラチェット歯列を備え、
前記フック体は、前記本体を上下に摺動自在に抱持する抱持部と、この抱持部から上方へ伸びた後、前方へ湾曲して折り返して下方へ伸びるフックと、前記ラチェット歯に係合するように、前記抱持部の内側に、これと一体的に形成された一対の薄板状ラチェット爪とを備えたカーテン吊り具において、
前記仕切壁の前方端部は、ラチェット歯の頂部よりも高く前方に張り出しており、
前記フックは、前記抱持部から上方へ真っ直に伸びる立上げ部と、立上げ部の上部から前方へ湾曲して下方へ伸びつつ後方へ向かった後、前方に向かう折り返し部とを有し、
前記立上げ部の背面に、前記本体の仕切壁を上下に相対移動自在に受け入れる縦方向に伸びる割溝を有し、
前記フック体における折り返し部が接近する対向部には、前方に張り出して、前記フックの折り返し部との間に狭隘な隙間と、その片側の外広がりの外側開放部と、他側の内広がりの内側開放部とを形成する張出部を具備することを特徴とするカーテン吊り具。
【考案の詳細な説明】
【技術分野】
【０００１】
本考案は、カーテンをランナの吊り環へ吊り止めるためのカーテン吊り具の改良に関するものである。
【背景技術】
【０００２】
従来、カーテンの吊り位置を上下に変更することができるカーテン吊り具として、例えば特許文献１に記載されたものがある。また、フックが不用意に吊り環から外れないように、フックの開放部を閉じるための弾性突出片を設けた合成樹脂製のカーテン吊り具が、特許文献２に記載されている。
ところで、カーテンは、これを開閉するときに下方へ引き下げる力及び左右へ引かれる力を受ける。この力は、カーテンの上端縁に取付けられているカーテン吊り具に集中的にかかるので、フックが左右に曲がって、折損しやすいし、ときには吊り環からはずれてしまうことがある。
フックが吊り環から外れるのを防止するために、特許文献２に記載されたカーテン吊り具が提案されているが、これはフックを吊り環から外そうとするとき、フックと突出片との間が閉じてしまい、取外しが容易でなく、無理に引き外すとフック又は突出片が折損しやすい難点がある。
これに対して、特許文献３に記載されたカーテン吊り具が提案されているが、これは先端に環状部を有する弾性突出片を設けるため、原材料の増加や複雑な形状が製作コストの低廉化や小型化の妨げになるし、脆弱部分が付加されて強度上の難点がある。
【先行技術文献】
【特許文献】
【０００３】
【特許文献１】実開平２−２３８７７号公報
【特許文献２】実開昭６１−１００２８３号公報
【特許文献３】実開平６−２５１号公報
【考案の概要】
【考案が解決しようとする課題】
【０００４】
従って、本考案は、吊り環への着脱が容易であり、吊り環からの離脱をも有効に防止することができ、しかも、簡易構造で製作コストを安くでき、強靱で小型化が可能なカーテン吊り具を提供しようとするものである。
【課題を解決するための手段】
【０００５】
本考案においては、上記課題を解決するため、カーテンＣに取付けられる弾性合成樹脂製の本体２と、この本体２に対してラチェット式に下方へ移動自在に係合し、吊り環に掛け止め可能な弾性合成樹脂製のフック体３とから成るカーテン吊り具１において、フック体３は、本体２を上下に摺動自在に抱持する抱持部１１と、この抱持部１１から上方へ伸びた後、前方へ湾曲して下方へ伸びつつ後方へ向かった後前方へ向かうフック１２とを具備させ、フック１２の折り返し部１９が接近する対向部に前方に張り出した張出部２１を設け、フック１２の折り返し部１９との間に狭隘な隙間２２と、その片側の外広がりの外側開放部２３と、他側の内広がりの内側開放部２４とを形成した。
また、本体には、フック体１２を係合させるための縦方向に伸びる主杆４を前方に設けると共に、カーテンＣに取付けるための取付け部５を後方に設け、主杆４の前面側には、中央の縦方向に伸びるの仕切壁６を隔てて、その左右両側に、縦方向のラチェット歯７列を設け、仕切壁６の前方端部は、ラチェット歯７の頂部よりも高く前方に張り出させ、フック体３の抱持部１１の内側には、さらに本体２のラチェット歯７に係合するように、一対の薄板状のラチェット爪１３を設け、フック１２には、さらに抱持部１１から上方へ真っ直に伸びる立上げ部１８を設け、かつこの立上げ部２３の背面に、本体の仕切壁６を上下に相対移動自在に受け入れる縦方向に伸びる割溝８を設けた。
【考案の効果】
【０００６】
本考案においては、フック１２が吊り環に掛かると、張出部２１とフック１２との間の狭隘な隙間２２によって吊り環を抜け止めし、容易に吊り環から外れることがない。しかし、フック１２を吊り環から外すときには、吊り環が内広がりの内側開放部２４に案内されて円滑に狭隘な隙間２２を押し広げつつ通過し、張出部２１とフック１２とに囲まれた空間内から容易に脱出することができる。また、フック体３に張出部２１を設ける簡易な構造のため、従来のカーテン吊り具の弾性突出片に比べて小型化でき、また容易に製作できるし原材料の減少によるコスト低廉化を図ることができ、さらに張出部２１の肉厚により強度が増す。
また、フック体３が本体２に対して上方に確実に固定され、ラチェット爪１３が抱持部１１の内側に設けられており、外側に張り出していないから、全体が小型であり、体裁が良いし、折損のおそれもない。ラチェット爪１３は、薄板状で比較的柔軟であるから、下方への移動操作を軽快に行なうことができる。フック１２の割溝２０に仕切り壁８が嵌合しているので、フック１２の立上げ部１８が補強され、左右に振られる力を受けても容易に左右に曲がることがないし、折損しにくく、吊り環から離脱するおそれもない等の効果を有する。
【図面の簡単な説明】
【０００７】
【図１】カーテン吊り具の側面図である。
【図２】カーテン吊り具の正面図である。
【図３】カーテン吊り具の背面図である。
【図４】カーテン吊り具の平面図である。
【図５】フック体の側面図である。
【図６】フック体の背面図である。
【図７】フック体の平面図である。
【図８】図５におけるVIII−VIII断面図である。
【図９】図７におけるIX−IX断面図である。
【考案を実施するための形態】
【０００８】
本考案の一実施例を図１ないし図９に示す。
図１ないし図９において、カーテン吊り具１は、カーテンＣに取付けられる弾性合成樹脂製の本体２と、この本体２に対してラチェット式に下方へ移動自在に係合する弾性合成樹脂製のフック体３とから成る。
【０００９】
本体２は、縦方向に伸びる主杆４と、その後部（装着時におけるカーテンＣ側）に設けられた挿入杆５と係止突片６とを具備している。主杆４の前面側（フック体３の方向）の左右には、仕切壁８を挟んで縦方向のラチェット歯７列を備えている。仕切壁８の前方端部は、ラチェット歯７列の頂部よりも高く前方に張り出している。主杆４の左右両側面には、ラチェット歯７列の後方に位置して、縦方向に伸びる係合溝９を備えている。
【００１０】
挿入杆５は、主杆４の下端から後方へ延出して屈曲し、主杆４の背部に沿って上方へ伸び、主杆４のほぼ中間部に達する高さ位置で終結している。挿入杆５には、下方から上方に向かうに従って徐々に主杆４へ接近する挾持部１０を設け、この挾持部１０と主杆４との間でカーテンＣを弾性的に挾持するようにする。係止突片６は、カーテンＣのひだ部Ｃ１へ上方から挿入できるように、主杆４の上部から後方へ延出させたうえ、挿入杆５と対向するように下向きに突出させる。ひだ部Ｃ１の上縁が係止突片６と主杆４との間に保持される。
【００１１】
フック体３は、本体２の主杆４を上下に摺動自在に抱持する抱持部１１と、図示しないランナの吊り環に掛け止めるためのフック１２とを具備している。図５ないし図９に示すように、抱持部１１の前方側壁１４の内側には、本体２のラチェット歯７列に対応して、左右一対の薄板状ラチェット爪１３を備えている。各ラチェット爪１３は、下端において前方側壁１４に一体に連続している。抱持部１１の左右両側壁１５は、前方側壁１４の左右両端から直角に後方へ延出しており、その後端縁の内側には、相対向して突出する係合突起１６を有する。係合突起１６は、本体２の係合溝９に上下に摺動自在に係合する。側壁１５は、内外に貫通する矩形の開口１７を備えている。
【００１２】
フック１２は、抱持部１１の前方側壁１４の上端中央から上方へ真っ直に伸びる立上げ部１８と、立上げ部１８の上部から前方へ湾曲して下方へ伸び、前方へ湾曲して、抱持部１１に徐々に接近した後、抱持部１１から離れつつ抱持部１１の下端の高さ位置で終結する折り返し部１９とを有する。立上げ部１８の背面及び抱持部１１の内面には、本体２の仕切壁８を上下に相対移動自在に受け入れる縦方向に伸びる割溝２０を有する。
【００１３】
抱持部１１の前方側壁１４の前面からフック１２の立上げ部１８にかけて前方へ膨出した張出部２１が設けられている。張出部２１は上下端部から中央に向かうに従って前方に突き出している。張出部２１と折り返し部１９との間には狭隘な隙間２２と、その片側の外広がりの外側開放部２３と、他側の内広がりの内側開放部２４とが形成される。
【００１４】
この実施形態のカーテン吊り具１は、本体２をカーテンＣに固定し、フック体３を図示しないランナの吊り環に引っ掛けて使用する。本体２は、その挿入杆５をカーテンＣのひだ部Ｃ１に下方から上方へ向けて挿入した後、ひだ部Ｃ１を圧縮するように上縁を押し下げて係止突片６をひだ部Ｃ１の上縁から下方へ向けて挿入し、係止突片６と主杆４との間にひだ部Ｃ１上縁の縫合部を挾んでカーテンＣに取付ける。
【００１５】
カーテン吊り具１は、本体２に対してフック体３を移動させて所定位置に配置し、カーテンＣの吊り高さを調整する。即ち、本体２に対してフック体３を下方へ引き下げると、ラチェット爪１３が弾性的に撓んで順次下方のラチェット歯７に係合していく。ラチェット爪１３は、薄板状で比較的柔軟であるから、フック体３の移動時にラチェット歯７に従って柔軟に撓み、従って移動は比較的軽く行える。２つのラチェット爪１３が、本体２の左右２つのラチェット歯７列に係合するから、この係合は強固であり、外れることはない。ラチェット爪１３は、フック体３の抱持部１１の内側に設けられており、外側に張り出していないから、全体が小型であり、体裁が良い。ラチェット爪１３は、比較的薄い板状のものであるが、フック体３の外側に露出していないから、これが他のものに引っかかって破損することがない。フック１２の割溝２０に本体２の仕切り壁８が嵌合しているので、フック１２の立上げ部１８が補強され、左右に振られる力を受けても容易に左右に曲がることがないし、折損しにくく、吊り環から離脱するおそれもない。
【００１６】
フック１２を吊り環に掛けるときには、吊り環が外広がりの外側開放部２３に案内されて円滑に狭隘な隙間２２を押し広げて通過し、張出部２１とフック１２とに囲まれた空間内に導入される。いったんフック１２が吊り環に掛ると、張出部２１とフック１２との間の狭隘な隙間２０と張出部２１とによって吊り環を抜け止めする。しかし、フック１２を吊り環から外すときには、吊り環が内広がりの内側開放部２４に案内されて円滑に狭隘な隙間２０を押し広げつつ通過し、張出部２１とフック１２とに囲まれた空間内から脱出することができる。
【００１７】
なお、本体２は、先の実施例における挿入部５及び係止突片６に代えて、カーテンＣへ縫い付けるための薄板状の縫い付け板を主杆４の後部から後方へ一体に延出させてもよい。この場合にも、カーテンＣへの取付け方が異なるのみで、他の作用は先の実施例のものと同一である。
【産業上の利用可能性】
【００１８】
本考案は、カーテンをランナの吊り環へ吊り止めるためのカーテン吊り具であって、吊り環への着脱が容易であり、吊り環からの離脱をも有効に防止することができる小型で製作容易なものである。
【符号の説明】
【００１９】
１    カーテン吊り具
２    本体
３    フック体
４    主杆
５    挿入杆
７    ラチェット歯
８    仕切壁
９    係合溝
１１    抱持部
１２    フック
１３    ラチェット爪
１４    前方側壁
１８    立上げ部
１９    折り返し部
２０    割溝
２１    張出部
２２    隙間
２３    外側開放部
２４    内側開放部
Ｃ    カーテン
【図１】
0003150285.tif 000003
【図２】
0003150285.tif 000004
【図３】
0003150285.tif 000005
【図４】
0003150285.tif 000006
【図５】
0003150285.tif 000007
【図６】
0003150285.tif 000008
【図７】
0003150285.tif 000009
【図８】
0003150285.tif 000010
【図９】
0003150285.tif 000011